(57)【要約】      （修正有）【課題】不特定多数の一般ユーザ（顧客）が、誰でも、いつでも、同時にプログラム開発・登録・実行（利用）する手段・方法を提供する。【解決手段】入出力装置と、プログラム開発機能・プログラム登録（記憶）機能・プログラム実行機能を持ったコンピュータ・システムにより、不特定多数の一般ユーザ（顧客）が誰でも、いつでも、同時にプログラム開発・登録・実行（利用）できる手段を提供する。【選択図】図１
2008305366.tif 000002
【特許請求の範囲】
【請求項１】
不特定多数の一般ユーザ（顧客）が、誰でも、いつでも、同時にプログラム開発・登録・実行（利用）する手段を提供する情報処理装置及び情報処理システム。
【発明の詳細な説明】
【技術分野】
【０００１】本発明は、パソコン／ＰＤＡ／携帯電話／ゲーム機等を含み、１個または複数のコンピュータで構成された情報処理装置もしくは情報処理システム及び情報処理方法に関する。
【背景技術】
【０００２】Ｗｅｂ２．０等の発展により、コンピュータ・システムの利用がより多くの不特定多数の一般ユーザ（顧客）で行われるようになってきた。
又、パソコン等の普及及びインターネットの発展により、不特定多数の一般ユーザ（顧客）がコンピュータ・システムを利用する機会が大幅に増加した。
【発明の開示】
【発明が解決しようとする課題】
【０００３】プログラムの開発・登録・実行（利用）は一部の専門的な人に限られており、不特定多数の一般ユーザ（顧客）がプログラムを開発・登録・実行（利用）する手段・方法が無かった。【０００４】本発明はこうした課題に鑑みてなされたものであり、その目的は、不特定多数の一般ユーザ（顧客）がプログラム開発・登録・実行（利用）を可能ならしむるものである。
【課題を解決するための手段】
【０００５】上記課題を解決するために、本発明は、入出力装置と、プログラム開発機能・プログラム登録（記憶）機能・プログラム実行機能を持ったコンピュータ・システムにより、不特定多数の一般ユーザ（顧客）がプログラム開発・登録・実行（利用）できる手段を提供するものである。【０００６】従来のコンピュータのプログラムは、ベンダーや一部の人が一方的に専門的に作っていた。
しかし、これではプログラムは一部の専門的な人しか作れず、作成手段・方法が一部の人に限定されていた。
本発明は、不特定多数の一般ユーザ（顧客）が誰でも、いつでも、同時にプログラムを開発し、プログラムを登録（記憶）し、プログラムを実行（利用）することを可能ならしむることを実現する方法である。
不特定多数の一般ユーザ（顧客）は、図１の▲１▼入出力装置（パソコン／ＰＤＡ／携帯電話／ゲーム機等を含む）を使用して、プログラム言語でプログラムを作成する。
図１の▲１▼入出力装置と図１のコンピュータ・システム間は、回線接続（ＡＤＳＬ等）、ＬＡＮ接続、光ケーブル接続等が考えられる。
又、図１の▲１▼入出力装置と図１のコンピュータ・システム間は、ＷＡＮ接続、ＮＧＮ接続、インターネット経由の接続等も考えられる。
又、図１の▲１▼入出力装置と図１のコンピュータ・システムを含んだものとして、パソコン／ＰＤＡ／携帯電話／ゲーム機等も考えられる。
又、図１のコンピュータ・システムとして、データ・センタ、サーバ・システム、電力会社の電力供給のように情報を蓄積し情報を供給するコンピュータ・システム等が考えられる。
図１のコンピュータ・システムには、一重もしくは多重に動作する図１の▲２▼プログラム開発処理部を持ち、不特定多数の一般ユーザ（顧客）のプログラム開発を受け持ち処理する。
不特定多数の一般ユーザ（顧客）がプログラム開発してコンパイルされた実行形式のプログラムは、図１のコンピュータ・システムの図１の▲３▼プログラム登録（記憶）処理部に、不特定多数の一般ユーザ（顧客）毎に登録（記憶）される。
図１のコンピュータ・システムの図１の▲３▼プログラム登録（記憶）処理部に登録（記憶）された不特定多数の一般ユーザ（顧客）毎の実行形式プログラムは、不特定多数の一般ユーザ（顧客）が誰でも、いつでも、同時に実行することができるような図１の▲４▼プログラム実行処理部を持ち、プログラム実行機能を図１のコンピュータ・システムが備えているものとする。
本発明により、不特定多数の一般ユーザ（顧客）が誰でも、いつでも、同時にプログラム開発でき、プログラムを登録（記憶）でき、プログラムを実行（利用）することが可能となる。
【図１】
2008305366.tif 000003
【手続補正書】
【提出日】平成19年7月31日(2007.7.31)
【手続補正１】
【補正対象書類名】明細書
【補正対象項目名】全文
【補正方法】変更
【補正の内容】
【発明の詳細な説明】
【技術分野】
【０００１】本発明は、パソコン／ＰＤＡ／携帯電話／ゲーム機等を含み、１個または複数のコンピュータで構成された情報処理装置もしくは情報処理システム及び情報処理方法に関する。
【背景技術】
【０００２】Ｗｅｂ２．０等の発展により、コンピュータ・システムの利用がより多くの不特定多数の一般ユーザ（顧客）で行われるようになってきた。
又、パソコン等の普及及びインターネットの発展により、不特定多数の一般ユーザ（顧客）がコンピュータ・システムを利用する機会が大幅に増加した。
【発明の開示】
【発明が解決しようとする課題】
【０００３】プログラムの開発・登録・実行（利用）は一部の専門的な人に限られており、不特定多数の一般ユーザ（顧客）がプログラムを開発・登録・実行（利用）する手段・方法が無かった。【０００４】本発明はこうした課題に鑑みてなされたものであり、その目的は、不特定多数の一般ユーザ（顧客）がプログラム開発・登録・実行（利用）を可能ならしむるものである。
【課題を解決するための手段】
【０００５】上記課題を解決するために、本発明は、入出力装置と、プログラム開発機能・プログラム登録（記憶）機能・プログラム実行機能を持ったコンピュータ・システムにより、不特定多数の一般ユーザ（顧客）がプログラム開発・登録・実行（利用）できる手段を提供するものである。【０００６】従来のコンピュータのプログラムは、ベンダーや一部の人が一方的に専門的に作っていた。
しかし、これではプログラムは一部の専門的な人しか作れず、作成手段・方法が一部の人に限定されていた。
本発明は、不特定多数の一般ユーザ（顧客）が誰でも、いつでも、同時にプログラムを開発し、プログラムを登録（記憶）し、プログラムを実行（利用）することを可能ならしむることを実現する方法である。
不特定多数の一般ユーザ（顧客）は、図１の▲１▼入出力装置（パソコン／ＰＤＡ／携帯電話／ゲーム機等を含む）を使用して、プログラム言語でプログラムを作成する。
図１の▲１▼入出力装置と図１のコンピュータ・システム間は、回線接続（ＡＤＳＬ等）、ＬＡＮ接続、光ケーブル接続等が考えられる。
又、図１の▲１▼入出力装置と図１のコンピュータ・システム間は、ＷＡＮ接続、ＮＧＮ接続、インターネット経由の接続等も考えられる。
又、図１の▲１▼入出力装置と図１のコンピュータ・システムを含んだものとして、パソコン／ＰＤＡ／携帯電話／ゲーム機等も考えられる。
又、図１のコンピュータ・システムとして、データ・センタ、サーバ・システム、電力会社の電力供給のように情報を蓄積し情報を供給するコンピュータ・システム等が考えられる。
図１のコンピュータ・システムには、一重もしくは多重に動作する図１の▲２▼プログラム開発処理部を持ち、不特定多数の一般ユーザ（顧客）のプログラム開発を受け持ち処理する。
不特定多数の一般ユーザ（顧客）がプログラム開発してコンパイルされた実行形式のプログラムは、図１のコンピュータ・システムの図１の▲３▼プログラム登録（記憶）処理部に、不特定多数の一般ユーザ（顧客）毎に登録（記憶）される。
図１のコンピュータ・システムの図１の▲３▼プログラム登録（記憶）処理部に登録（記憶）された不特定多数の一般ユーザ（顧客）毎の実行形式プログラムは、不特定多数の一般ユーザ（顧客）が誰でも、いつでも、同時に実行することができるような図１の▲４▼プログラム実行処理部を持ち、プログラム実行機能を図１のコンピュータ・システムが備えているものとする。
本発明により、不特定多数の一般ユーザ（顧客）が誰でも、いつでも、同時にプログラム開発でき、プログラムを登録（記憶）でき、プログラムを実行（利用）することが可能となる。
【図面の簡単な説明】
【０００７】
【図１】実施形態に係るコンピュータ・システムの全体構成図である。